【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
ガスタービンエンジンの１つまたは複数の構成要素のフィードバックおよび予測される耐用年数に基づいて、前記ガスタービンエンジンの１つまたは複数のパラメータを調節するように構成されたコントローラであって、持続性の、機械による読出し可能な媒体に配された指示を含むコントローラを備えるシステムであって、前記指示が、
前記ガスタービンエンジンを作動し、
基準負荷における前記ガスタービンエンジンの新しい清潔な作動に基づいて、基準動力出力、基準加熱速度またはそれらの組み合わせを決定し、
矯正パラメータを取得し、
少なくとも一部が前記基準動力出力、基準加熱速度またはそれらの組み合わせならびに前記矯正パラメータに基づいて、目標動力出力、目標加熱速度またはそれらの組み合わせを決定し、
前記ガスタービンエンジンの動力出力、加熱速度またはそれらの組み合わせを監視し、
前記動力出力を前記目標動力出力と比較し、前記加熱速度を前記目標加熱速度と比較し、あるいはそれらの組み合わせを比較し、
前記動力出力と前記目標動力出力の差、前記加熱速度と前記目標加熱速度の差、またはそれらの組み合わせが閾値より小さくなるように、前記ガスタービンエンジンの１つまたは複数のパラメータを調節し、前記動力出力と前記目標動力出力の差、前記加熱速度と前記目標加熱速度の差、またはそれらの組み合わせが、少なくとも一部が前記ガスタービンエンジンの劣化および／または汚れによって生じ、
前記ガスタービンエンジンの前記基準負荷に基づいて少なくとも１つの基準出力値を決定し、
前記基準負荷における前記ガスタービンエンジンの少なくとも１つの構成要素の少なくとも１つの予測される耐用年数を決定し、
前記ガスタービンエンジンの１つ以上の構成要素の少なくとも１つの目標耐用年数を決定し、
少なくとも一部が前記少なくとも１つの基準出力値および前記少なくとも１つの目標耐用年数に基づいて少なくとも１つの計算された出力値を決定し、
前記ガスタービンエンジンの少なくとも１つの出力値を監視し、
前記少なくとも１つの出力値と前記少なくとも１つの計算された出力値を比較し、
前記少なくとも１つの出力値と前記少なくとも１つの計算された出力値の少なくとも１つの差が少なくとも１つの閾値より小さくなるように前記ガスタービンエンジンの少なくとも１つの作動条件を調節する、
システム。
【請求項２】
前記動力出力または加熱速度の少なくとも一方が、前記基準出力値のおおよそ１０％の範囲内であり、前記基準出力値が、新しく清潔な前記ガスタービンエンジンの基準出力値に基づいている、請求項１に記載のシステム。
【請求項３】
前記コントローラが、前記ガスタービンエンジンを含む発電所の作動を制御するように構成される、請求項１に記載のシステム。
【請求項４】
前記コントローラが、メモリおよび少なくとも１つのプロセッサを備える、請求項１に記載のシステム。
【請求項５】
前記コントローラの入力信号を生成するように構成されたセンサを備え、前記入力信号が、前記ガスタービンエンジンの前記パラメータを示している、請求項１に記載のシステム。
【請求項６】
前記センサが、周辺温度センサ、周辺圧力センサ、周辺湿度センサ、圧縮機入り口温度センサ、入り口圧力センサまたは排気口圧力センサまたはそれらの組み合わせのうちの少なくとも１つである、請求項５に記載のシステム。
【請求項７】
前記ガスタービンエンジンの作動条件を調節するように構成されたアクチュエータを備える、請求項１に記載のシステム。
【請求項８】
前記アクチュエータが、入り口ガイドベーンアクチュエータ、または燃料流れ制御弁アクチュエータまたはそれらの組み合わせのうちの少なくとも１つである、請求項７に記載のシステム。
【請求項９】
ガスタービンエンジンを作動するステップと、
基準負荷における前記ガスタービンエンジンの新しい清潔な作動に基づいて基準出力値を決定するステップと、
矯正パラメータを取得するステップと、
少なくとも一部が前記基準出力値および前記矯正パラメータに基づいて目標出力値を決定するステップと、
前記ガスタービンエンジンの出力値を監視するステップと、
前記出力値を前記目標出力値と比較するステップと、
前記出力値と前記目標出力値の差が閾値より小さくなるように、前記ガスタービンエンジンの作動条件を調節するステップであって、前記出力値前記目標出力値の差が、少なくとも一部が前記ガスタービンエンジンの劣化および／または汚れによって生じるステップと、
前記ガスタービンエンジンの前記基準負荷に基づいて少なくとも１つの基準出力値を決定するステップと、
前記基準負荷における前記ガスタービンエンジンの少なくとも１つの構成要素の少なくとも１つの予測される耐用年数を決定するステップと、
前記ガスタービンエンジンの１つ以上の構成要素の少なくとも１つの目標耐用年数を決定するステップと、
少なくとも一部が前記少なくとも１つの基準出力値および前記少なくとも１つの目標耐用年数に基づいて少なくとも１つの計算された出力値を決定するステップと、
前記ガスタービンエンジンの少なくとも１つの出力値を監視するステップと、
前記少なくとも１つの出力値と前記少なくとも１つの計算された出力値を比較するステップと、
前記少なくとも１つの出力値と前記少なくとも１つの計算された出力値の少なくとも１つの差が少なくとも１つの閾値より小さくなるように前記ガスタービンエンジンの少なくとも１つの作動条件を調節するステップと、
を含む、方法。
【請求項１０】
前記出力値が、動力出力または加熱速度あるいはそれらの組み合わせのうちの少なくとも１つである、請求項９に記載の方法。
【請求項１１】
前記基準出力値が、新しいガスタービンエンジン、または清潔なガスタービンエンジンまたはそれらの組み合わせの作動に相当する、請求項９に記載の方法。
【請求項１２】
前記矯正パラメータが、周辺温度、周辺圧力、周辺湿度、圧縮機入り口温度、入り口圧力損失または排気口圧力損失あるいはそれらの組み合わせのうちの少なくとも１つを含む、請求項９に記載の方法。
【請求項１３】
前記作動条件が、燃焼温度、排気温度、燃料の流量、排気物の流量または入り口ガイドベーンの角度またはそれらの組み合わせのうちの少なくとも１つを含む、請求項９に記載の方法。
【請求項１４】
前記作動条件を最大作動条件より小さくなるように維持するステップを含む、請求項９に記載の方法。
【請求項１５】
前記最大作動条件が、少なくとも一部が基準負荷における前記ガスタービンエンジンの構成要素の予測される耐用年数に基づく、請求項１４に記載の方法。
【請求項１６】
ガスタービンエンジンを作動するステップと、
前記ガスタービンエンジンの基準負荷に基づいて基準出力値を決定するステップと、
前記基準負荷における前記ガスタービンエンジンの第１の構成要素の予測される耐用年数を決定するステップと、
前記ガスタービンエンジンの１つまたは複数の構成要素の目標耐用年数を決定するステップと、
少なくとも一部が前記基準出力値および前記目標耐用年数に基づいて計算された出力値を決定するステップと、
前記ガスタービンエンジンの出力値を監視するステップと、
前記出力値を前記計算された出力値と比較するステップと、
前記出力値と前記計算された出力値の差が閾値より小さくなるように前記ガスタービンエンジンの作動条件を調節するステップと、
を含む、方法。
【請求項１７】
前記目標耐用年数が、前記ガスタービンエンジンの少なくとも１つの予測される運転停止を基にする、請求項１６に記載の方法。
【請求項１８】
前記ガスタービンエンジンの前記予測される運転停止が、前記第１の構成要素とは異なる前記ガスタービンエンジンの第２の構成要素の交換または修理を基にする、請求項１７に記載の方法。
【請求項１９】
前記目標耐用年数が、前記予測される耐用年数より短い、請求項１６に記載の方法。
【請求項２０】
前記計算された出力値が、前記基準出力値より大きい、請求項１６に記載の方法。